(57)【特許請求の範囲】
【請求項１】
左右の各カップ部（１）を構成する表布（２）と裏布（３）との間に，パッド（１０）を着脱自在に挿入するブラジャーにおいて、
前記表布と裏布の下端縁同士を，前記パッドが落下しないように連続的または部分的に縫合して連結縫合部（４）とし、
前記表布と裏布の前記下端縁以外の部分を，前記パッドを挿入できる開口部（５）を設けつつ，局所的に縫合して局所縫合部（６）を形成し、
前記パッドの周端部に，前記局所縫合部が入り込んで係合する切込み部（１１）を形成してなるブラジャー。
【請求項２】
左右の各カップ部（１）を構成する表布（２）と裏布（３）との間に，パッド（１０）を着脱自在に挿入するブラジャーにおいて、
前記表布と裏布の下端縁同士を，前記パッドが落下しないように連続的または部分的に縫合して連結縫合部（４）とし、
前記表布と裏布の前記下端縁以外で，前記パッドを挿入できる開口部（５）を設けつつ，少なくとも上端部より中心寄りの部分を，局所的に縫合して局所縫合部（６）を形成し、
前記パッドの周端部に，前記局所縫合部が入り込んで係合する切込み部（１１）を形成してなるブラジャー。
【請求項３】
左右のカップ部（１）を構成する表布（２）と裏布（３）との間に、主パッド（１０ａ）と補助パッド（１０ｂ）の二つのパッド（１０）を挿入自在としてなる請求項１または２に記載のブラジャー。
【請求項４】
左右のカップ部（１）に、胸部を周回する輪状布（７）を一体的に設け、該輪状布に十分な弾力を持たせると共にウエスト締付部よりも下位の位置まで輪状布を下方に延設してなる請求項１乃至３のいずれかに記載のブラジャー。
【発明の詳細な説明】
【０００１】
【発明の属する技術分野】
本発明は、カップ部を構成する表布と裏布との間にパッドを挿入するタイプのブラジャーに関するものである。
【０００２】
【従来の技術】
従来のブラジャーにおいては、カップ部を構成する表布と裏布との間にパッドを着脱自在に挿入するタイプのものがある。このブラジャーは、使用者の好みに合ったパッドを使用することができるので、便利であるといった利点がある。
【０００３】
【発明が解決しようとする課題】
しかし、こうしたタイプのブラジャーにおいては、カップ内でパッドが動き易く、所定の位置からずれてしまうといった問題がある。特に、手術によって乳房を切除した使用者の場合には、この傾向が強い。
【０００４】
本発明はこうした問題に鑑み創案されたもので、カップ部を構成する表布と裏布との間にパッドを着脱自在に挿入するタイプにおいて、当該パッドが移動することのないブラジャーを提供することを課題とする。
【０００５】
【課題を解決するための手段】
図１乃至図５を参照して説明する。第一の発明は、左右の各カップ部１を構成する表布２と裏布３との間に、パッド１０を着脱自在に挿入するブラジャーにおいて、前記表布２と裏布３の下端縁同士を、前記パッド１０が落下しないように連続的または部分的に縫合して連結縫合部４とし、前記表布２と裏布３の前記下端縁以外の部分を、前記パッド１０を挿入できる開口部５を設けつつ、局所的に縫合して局所縫合部６を形成し、前記パッド１０の周端部に、前記局所縫合部６が入り込んで係合する切込み部１１を形成してなるものである。
【０００６】
第二の発明は、左右の各カップ部１を構成する表布２と裏布３との間に、パッド１０を着脱自在に挿入するブラジャーにおいて、前記表布２と裏布３の下端縁同士を、前記パッド１０が落下しないように連続的または部分的に縫合して連結縫合部４とし、前記パッド１０を挿入できる開口部５を設けつつ、前記表布２と裏布３の前記下端縁以外で、少なくとも上端部より中心寄りの部分を、局所的に縫合して局所縫合部６を形成し、前記パッド１０の周端部に、前記局所縫合部６が入り込んで係合する切込み部１１を形成してなるものである。
【０００７】
第三の発明は、第一または第二の発明において、左右のカップ部１を構成する表布２と裏布３との間に、主パッド１０ａと補助パッド１０ｂの二つのパッド１０を挿入自在としてなるものである。
【０００８】
第四の発明は、第一乃至第三のいずれかの発明において、左右のカップ部１に、胸部を周回する輪状布７を一体的に設け、その輪状布７に十分な弾力を持たせると共にウエスト締付部よりも下位の位置まで輪状布７を下方に延設し、肩紐８を使用しないでも、前記カップ部１を支持できるものとしてなるものである。
【０００９】
【発明の実施の形態】
本発明に係るブラジャーの第一実施形態を、図１乃至図４に示す。これは、左右のカップ部１を構成するレースの表布２と裏布３との間に、パッド１０を着脱自在に挿入するタイプであり、その表布２と裏布３の下端縁同士を、連続的に縫合して連結縫合部４とし、挿入したパッド１０が落下しないようにしている。なお、この連結縫合部４は、パッド１０が落下しない程度において、部分的に縫合して形成することもできる。
【００１０】
また、表布２と裏布３の下端縁以外の部分を、パッド１０を挿入できる開口部５を設けつつ、局所的に縫合して二つの局所縫合部６を形成して点在させている。本実施形態においては、左右各カップ部１の上端部と、その中央寄り部分の二箇所に形成している。そして、パッド１０の周端部に、局所縫合部６が入り込んで係合する切込み部１１を二つ形成している。
【００１１】
このブラジャーにおいては、カップ部１に形成した二つの局所縫合部６に、パッド１０に形成した二つの切込み部１１をそれぞれ係合しているので、パッド１０のカップ部１内での移動を未然に防止することができる。
【００１２】
なお、パッド１０の着脱は、開口部５から自在に行うことができるので、使用者に合ったものを自由に選択して使用することができる。
【００１３】
本発明に係るブラジャーの第二実施形態を、図５に示す。このブラジャーは、同じく、左右のカップ部１を構成する表布２と裏布３との間に、パッド１０を着脱自在に挿入するタイプであり、表布２と裏布３の下端縁同士を、パッド１０が落下しないように連続的に縫合して連結縫合部４を形成している。
【００１４】
また、表布２と裏布３の上端部より中心寄りの部分に二箇所と、外側寄りの一箇所を、パッド１０を挿入できる開口部５を設けつつ、局所的に縫合して三つの局所縫合部６を形成して点在させている。そして、パッド１０の周端部に、局所縫合部６が入り込んで係合する三つの切込み部１１を形成している。
【００１５】
本実施形態におけるブラジャーの特徴は、局所縫合部６をカップ部１の上端部より中心寄りの部分に形成し、パッド１０にそれに対応した切込み部１１を形成したことである。これによって、当該中心寄りの部分において、パッド１０をカップ部１に密着させることができるので、イブニングドレス等のいわゆる胸の開いた洋服を着用した場合でも、他人からパッド１０が視覚されない。
【００１６】
また、本実施形態では、局所縫合部６を目に付き易いカップ部１の上端部に形成していないので、他人から視覚され難い。すなわち、局所縫合部６を、カップ部１の上端部ではなく、中央寄り部分等に形成しているので、凹みが目立たない。
【００１７】
なお、第一および第二実施形態においては、左右のカップ部１を構成する表布２と裏布３との間に、主パッド１０ａと補助パッド１０ｂの二つのパッド１０を挿入することができる。これは、例えば、手術によって左の乳房を切除した場合、その左のカップ部１に主パッド１０ａと補助パッド１０ｂの二つのパッド１０を挿入することにより、右側との均衡を保つことができるので、きわめて有効である。なお、主パッド１０ａには切込み部１１を形成するが、補助パッド１０ｂは、それより小型のものを使用する場合には形成しなくても良い。
【００１８】
また、第一および第二実施形態において、左右のカップ部１に、胸部を周回する輪状布７を一体的に設け、その輪状布７に、カップ部１が胸部に密着するような十分な弾力を持たせると共に、図５に仮線で示す如くウエスト締付部よりも下位に到する位置まで輪状布７を下方に延設しておけば、肩紐８を使用しないでも、カップ部１を支持できるようにすることができる。これにより、例えば、乳腺の手術によって手を自由に動かせない使用者の場合でも、足の方から装着することができるので、容易に着用することができる。
【００１９】
局所縫合部６及び切込み部１１を設ける位置及び数は、図示のものに限定されるものではなく、図１に仮線で一例を示す如く下位、その他任意の箇所に設けることが出来るものである。
【００２０】
なお、このブラジャーは、金属を一切使用していないので、その金属による痛みが発生しない。
【００２１】
【発明の効果】
請求項１に記載の発明に係るブラジャーは、カップ部１を構成する表布２と裏布３の下端縁同士を、パッド１０が落下しないように連続的または部分的に縫合し、表布２と裏布３の下端縁以外の部分を、パッド１０を挿入できる開口部５を設けつつ、局所的に縫合して局所縫合部６を形成し、パッド１０の周端部に、局所縫合部６が入り込んで係合する切込み部１１を形成したので、パッド１０のカップ部１内での移動を未然に防止することができる。
【００２２】
請求項２に記載のブラジャーは、少なくとも上端部より中心寄りの部分を、パッド１０を挿入できる開口部５を設けつつ、局所的に縫合して局所縫合部６を形成し、パッド１０の周端部に、局所縫合部６が入り込んで係合する切込み部１１を形成したので、当該中心寄りの部分において、パッド１０をカップ部１に密着させることができる。従って、イブニングドレス等のいわゆる胸の開いた洋服を着用した場合でも、パッド１０が視覚されない。
【００２３】
請求項３に記載のブラジャーは、左右のカップ部１を構成する表布２と裏布３との間に、主パッド１０ａと補助パッド１０ｂの二つのパッド１０を挿入することができるようにしたので、例えば、手術によって一方の乳房を切除した場合、その一方側のカップ部１に主パッド１０ａと補助パッド１０ｂの二つのパッド１０を挿入することにより、他方側との均衡を保つことができる。
【００２４】
請求項４に記載のブラジャーは、左右のカップ部１に、胸部を周回する輪状布７を一体的に設け、その輪状布７に胸部に密着する弾力を持たせると共にウエスト締付部よりも下位の位置まで輪状布７を下方に延設すれば、肩紐８を使用しないでも、カップ部１を支持できるようにすることができるようにしたので、例えば、乳腺の手術によって手を自由に動かせない場合でも、足の方から装着することができる。従って、着用が容易である。
【図面の簡単な説明】
【図１】  本発明に係るブラジャーの第一実施形態を示す正面図である。
【図２】  図１に示す実施形態の平面図である。
【図３】  図１のＸ−Ｘ線断面図である。
【図４】  図１の要部拡大正面図である。
【図５】  本発明に係るブラジャーの第二実施形態を示す正面図である。
【符号の説明】
１        カップ部
２        表布
３        裏布
４        連結縫合部
５        開口部
６        局所縫合部
７        輪状布
８        肩紐
１０      パッド
１０ａ    主パッド
１０ｂ    補助パッド
１１      切込み部
【図１】
0003829304.tif 000002
【図２】
0003829304.tif 000003
【図３】
0003829304.tif 000004
【図４】
0003829304.tif 000005
【図５】
0003829304.tif 000006